(57)【要約】【課題】切断動作の無駄を省き、切断作業時間を短縮することができる切断装置、切断データ処理装置、切断データ処理プログラム及び記録媒体を提供する。【解決手段】切断装置において、複数の模様を、当該模様の切断ラインであって連続した複数の線分を含む切断ラインの少なくとも一部が互いに接触して隣り合うように並べて配置する配置処理（ステップＳ１）と、前記配置処理により配置した複数の模様において前記切断ラインの接触部を抽出する抽出処理と、前記抽出処理で抽出した接触部で複数の模様の切断ラインを相互に繋げる又は共通化するように前記切断ラインを接続する接続処理（ステップＳ２）と、前記接続処理で接続した切断ラインを含む複数の模様の切断ラインに基づいて、切断データを作成する切断データ作成処理とを実行する。【選択図】図１３
2013013976.tif 000002
【特許請求の範囲】
【請求項１】
切断刃と被切断物とを相対的に移動させることにより、複数の模様を前記被切断物から切断する切断装置において、
前記複数の模様を、当該模様の切断ラインであって連続した複数の線分を含む切断ラインの少なくとも一部が互いに接触して隣り合うように並べて配置する配置手段と、
前記配置手段により配置した前記複数の模様において前記切断ラインの接触部を抽出する抽出手段と、
前記抽出手段で抽出した接触部で前記複数の模様の切断ラインを相互に繋げる又は共通化するように前記切断ラインを接続する接続手段と、
前記接続手段で接続した切断ラインを含む前記複数の模様の切断ラインに基づいて、切断データを作成する切断データ作成手段とを備え、
前記切断データ作成手段で作成した切断データに基づいて、前記複数の模様を前記被切断物から切断することを特徴とする切断装置。
【請求項２】
前記配置手段は、前記複数の模様を、隣り合う前記模様相互間で前記線分同士が重複するように配置することを特徴とする請求項１記載の切断装置。
【請求項３】
前記接続手段は、隣り合う前記模様のうち一方の模様の切断ラインと他方の模様の切断ラインとを、連続的に切断する切断ラインとして接続することを特徴とする請求項１または２記載の切断装置。
【請求項４】
前記接続手段は、隣り合う前記模様のうち一方の模様の切断ラインにおける線分と他方の模様の切断ラインにおける線分とが直線状に連なる場合、これら双方の線分を１つの線分として切断する切断ラインとして接続することを特徴とする請求項１から３の何れかに記載の切断装置。
【請求項５】
前記切断刃は、前記被切断物との相対的な移動によって、前記被切断物から抵抗力を受けて当該切断刃の刃部の向きを変更するように構成され、
前記切断データ作成手段は、前記複数の模様に共通する同じ方向の切断ラインの線分がある場合、これら切断ラインの線分を、前記刃部の向きを変更することなく順次切断する切断データを作成することを特徴とする請求項１から３の何れかに記載の切断装置。
【請求項６】
前記切断データ作成手段は、前記複数の模様を１つにまとめた模様群とみなし、当該模様群全体の輪郭の切断ラインを連続的に切断する切断データを作成することを特徴とする請求項１から５の何れかに記載の切断装置。
【請求項７】
切断刃と被切断物とを相対的に移動させることにより、複数の模様を前記被切断物から切断する切断装置のための切断データを処理する切断データ処理装置において、
前記複数の模様を、当該模様の切断ラインであって連続した複数の線分を含む切断ラインの少なくとも一部が互いに接触して隣り合うように並べて配置する配置手段と、
前記配置手段により配置した前記複数の模様において前記切断ラインの接触部を抽出する抽出手段と、
前記抽出手段で抽出した接触部で前記複数の模様の切断ラインを相互に繋げる又は共通化するように前記切断ラインを接続する接続手段と、
前記接続手段で接続した切断ラインを含む前記複数の模様の切断ラインに基づいて、切断データを作成する切断データ作成手段と
を備えることを特徴とする切断データ処理装置。
【請求項８】
前記配置手段は、前記複数の模様を、隣り合う前記模様相互間で前記線分同士が重複するように配置することを特徴とする請求項７記載の切断データ処理装置。
【請求項９】
前記接続手段は、隣り合う前記模様のうち一方の模様の切断ラインと他方の模様の切断ラインとを、連続的に切断する切断ラインとして接続することを特徴とする請求項７または８記載の切断データ処理装置。
【請求項１０】
前記接続手段は、隣り合う前記模様のうち一方の模様の切断ラインにおける線分と他方の模様の切断ラインにおける線分とが直線状に連なる場合、これら双方の線分を１つの線分として切断する切断ラインとして接続することを特徴とする請求項７から９の何れかに記載の切断データ処理装置。
【請求項１１】
前記切断装置の前記切断刃は、前記被切断物との相対的な移動によって、前記被切断物から抵抗力を受けて当該切断刃の刃部の向きを変更するように構成され、
前記切断データ作成手段は、前記複数の模様に共通する同じ方向の切断ラインの線分がある場合、これら切断ラインの線分を、前記刃部の向きを変更することなく順次切断する切断データを作成することを特徴とする請求項７から９の何れかに記載の切断データ処理装置。
【請求項１２】
前記切断データ作成手段は、前記複数の模様を１つにまとめた模様群とみなし、当該模様群全体の輪郭の切断ラインを連続的に切断する切断データを作成することを特徴とする請求項７から１１の何れかに記載の切断データ処理装置。
【請求項１３】
切断刃と被切断物とを相対的に移動させることにより、複数の模様を前記被切断物から切断する切断装置のコンピュータに実行させるプログラムであって、
前記コンピュータに、
前記複数の模様を、当該模様の切断ラインであって連続した複数の線分を含む切断ラインの少なくとも一部が互いに接触して隣り合うように並べて配置する配置処理と、
前記配置処理により配置した前記複数の模様において前記切断ラインの接触部を抽出する抽出処理と、
前記抽出処理で抽出した接触部で前記複数の模様の切断ラインを相互に繋げる又は共通化するように前記切断ラインを接続する接続処理と、
前記接続処理で接続した切断ラインを含む前記複数の模様の切断ラインに基づいて、切断データを作成する切断データ作成処理と
を実行させるための切断データ処理プログラム。
【請求項１４】
請求項１３に記載の切断データ処理プログラムを切断装置のコンピュータに読取り可能に記録した記録媒体。
【発明の詳細な説明】
【技術分野】
【０００１】
本発明は、切断刃と被切断物とを相対的に移動させることにより、複数の模様を被切断物から切断する切断装置、切断データ処理装置、切断データ処理プログラム及び記録媒体に関する。
【背景技術】
【０００２】
従来より、例えば紙等のシートを自動的に切断するカッティングプロッタが知られている。前記シートは、表面に粘着層を有する保持部材としての基材に貼り付けられる。そして、カッティングプロッタは、切断刃を前記シートに圧接又は離間するよう上下移動させる機構を含むキャリッジを備え、基材の両端部分を駆動機構の駆動ローラ及びピンチローラで上下方向から挟んで第１方向へ移動させると共に、前記キャリッジを前記第１方向と直交する第２方向へ移動させて前記シートを切断する。（例えば特許文献１参照）。
【先行技術文献】
【特許文献】
【０００３】
【特許文献１】特開２００５−２０５５４１号公報
【発明の概要】
【発明が解決しようとする課題】
【０００４】
特許文献１のカッティングプロッタでは、基材上のシートから複数の模様を切り抜く場合、１つの模様の切断を終える度に、切断刃の刃先をシートから離間させて次の模様の切断開始点に対応する位置へ移動させる必要がある。つまり、複数の模様を切断するには、模様を切断する動作に加え、切断刃が模様間を移動する動作、即ち、切断を伴わない基材の移動（シートの移動）及び切断刃の上下移動を含むキャリッジの移動が行われる。このため、全ての模様を切り抜くにはかなりの時間がかかる。
【０００５】
本発明は上記事情に鑑みてなされたものであり、その目的は、複数の模様を切断する際、切断刃が模様間を移動する動作の無駄を省き、切断に要する作業時間を短縮することができる切断装置、切断データ処理装置、切断データ処理プログラム及び記録媒体を提供することである。
【課題を解決するための手段】
【０００６】
上記した目的を達成するために、本発明の請求項１の切断装置は、切断刃と被切断物とを相対的に移動させることにより、複数の模様を前記被切断物から切断する切断装置において、前記複数の模様を、当該模様の切断ラインであって連続した複数の線分を含む切断ラインの少なくとも一部が互いに接触して隣り合うように並べて配置する配置手段と、前記配置手段により配置した前記複数の模様において前記切断ラインの接触部を抽出する抽出手段と、前記抽出手段で抽出した接触部で前記複数の模様の切断ラインを相互に繋げる又は共通化するように前記切断ラインを接続する接続手段と、前記接続手段で接続した切断ラインを含む前記複数の模様の切断ラインに基づいて、切断データを作成する切断データ作成手段とを備え、前記切断データ作成手段で作成した切断データに基づいて、前記複数の模様を前記被切断物から切断することを特徴とする。
【０００７】
上記構成によれば、切断データ作成手段によって、複数の模様の切断ラインについて当該模様相互間で繋げる又は共通化するように接続した切断データを作成することができる。従って、作成した切断データに基づいて、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【０００８】
請求項２の切断装置では、請求項１の発明において、前記配置手段は、前記複数の模様を、隣り合う前記模様相互間で前記線分同士が重複するように配置することを特徴とする。
【０００９】
請求項３の切断装置では、請求項１または２の発明において、前記接続手段は、隣り合う前記模様のうち一方の模様の切断ラインと他方の模様の切断ラインとを、連続的に切断する切断ラインとして接続することを特徴とする。
【００１０】
請求項４の切断装置は、請求項１から３の何れかの発明において、前記接続手段は、隣り合う前記模様のうち一方の模様の切断ラインにおける線分と他方の模様の切断ラインにおける線分とが直線状に連なる場合、これら双方の線分を１つの線分として切断する切断ラインとして接続することを特徴とする。
【００１１】
請求項５の切断装置は、請求項１から３の何れかの発明において、前記切断刃は、前記被切断物との相対的な移動によって、前記被切断物から抵抗力を受けて当該切断刃の刃部の向きを変更するように構成され、前記切断データ作成手段は、前記複数の模様に共通する同じ方向の切断ラインの線分がある場合、これら切断ラインの線分を、前記刃部の向きを変更することなく順次切断する切断データを作成することを特徴とする。
【００１２】
請求項６の切断装置は、請求項１から５の何れかの発明において、前記切断データ作成手段は、前記複数の模様を１つにまとめた模様群とみなし、当該模様群全体の輪郭の切断ラインを連続的に切断する切断データを作成することを特徴とする。
【００１３】
請求項７の切断データ処理装置は、切断刃と被切断物とを相対的に移動させることにより、複数の模様を前記被切断物から切断する切断装置のための切断データを処理する切断データ処理装置において、前記複数の模様を、当該模様の切断ラインであって連続した複数の線分を含む切断ラインの少なくとも一部が互いに接触して隣り合うように並べて配置する配置手段と、前記配置手段により配置した前記複数の模様において前記切断ラインの接触部を抽出する抽出手段と、前記抽出手段で抽出した接触部で前記複数の模様の切断ラインを相互に繋げる又は共通化するように前記切断ラインを接続する接続手段と、前記接続手段で接続した切断ラインを含む前記複数の模様の切断ラインに基づいて、切断データを作成する切断データ作成手段とを備えることを特徴とする。
【００１４】
上記切断データ処理装置において、切断データ作成手段により、複数の模様の切断ラインについて当該模様相互間で繋げ又は共通化するように接続した切断データを作成することができる。従って、作成した切断データに基づいて切断装置で被切断物を切断した時、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【００１５】
請求項８記載の切断データ処理装置は、請求項７の発明において、前記配置手段は、前記複数の模様を、隣り合う前記模様相互間で前記線分同士が重複するように配置することを特徴とする。
【００１６】
請求項９記載の切断データ処理装置は、請求項７または８の発明において、前記接続手段は、隣り合う前記模様のうち一方の模様の切断ラインと他方の模様の切断ラインとを、連続的に切断する切断ラインとして接続することを特徴とする。
【００１７】
請求項１０記載の切断データ処理装置は、請求項７から９の何れかの発明において、前記接続手段は、隣り合う前記模様のうち一方の模様の切断ラインにおける線分と他方の模様の切断ラインにおける線分とが直線状に連なる場合、これら双方の線分を１つの線分として切断する切断ラインとして接続することを特徴とする。
【００１８】
請求項１１記載の切断データ処理装置は、請求項７から９の何れかの発明において、前記切断装置の前記切断刃は、前記被切断物との相対的な移動によって、前記被切断物から抵抗力を受けて当該切断刃の刃部の向きを変更するように構成され、前記切断データ作成手段は、前記複数の模様に共通する同じ方向の切断ラインの線分がある場合、これら切断ラインの線分を、前記刃部の向きを変更することなく順次切断する切断データを作成することを特徴とする。
【００１９】
請求項１２記載の切断データ処理装置は、請求項７から１１の何れかの発明において、前記切断データ作成手段は、前記複数の模様を１つにまとめた模様群とみなし、当該模様群全体の輪郭の切断ラインを連続的に切断する切断データを作成することを特徴とする。
【００２０】
請求項１３の切断データ処理プログラムは、切断刃と被切断物とを相対的に移動させることにより、複数の模様を前記被切断物から切断する切断装置のコンピュータに実行させるプログラムであって、前記コンピュータに、前記複数の模様を、当該模様の切断ラインであって連続した複数の線分を含む切断ラインの少なくとも一部が互いに接触して隣り合うように並べて配置する配置処理と、前記配置処理により配置した前記複数の模様において前記切断ラインの接触部を抽出する抽出処理と、前記抽出処理で抽出した接触部で前記複数の模様の切断ラインを相互に繋げる又は共通化するように前記切断ラインを接続する接続処理と、記接続処理で接続した切断ラインを含む前記複数の模様の切断ラインに基づいて、切断データを作成する切断データ作成処理とを実行させる。
【００２１】
上記切断データ処理プログラムをコンピュータに実行させることによって、複数の模様の切断ラインについて当該模様相互間で繋げ又は共通化するように接続した切断データを作成することができる。従って、作成した切断データに基づいて切断装置で被切断物を切断した時、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【００２２】
請求項１４の記録媒体は、請求項１３に記載の切断データ処理プログラムを切断装置のコンピュータに読取り可能に記録したものである。
【発明の効果】
【００２３】
請求項１の切断装置によれば、切断データ作成手段によって、複数の模様の切断ラインについて当該模様相互間で繋げ又は共通化するように接続した切断データを作成することができる。従って、作成した切断データに基づいて、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【００２４】
請求項２の切断装置によれば、請求項１に記載の発明の効果に加え、切断データ作成手段によって、複数の模様の切断ラインについて、隣り合う模様相互間で線分同士が重複した切断データを作成することができる。これにより、隣り合う模様の切断ラインを線分に沿ってまとめて切断することができる。従って、複数の模様の切断に必要な切断ラインの全長を短くして、切断作業時間をより短縮することができる。
【００２５】
請求項３の切断装置によれば、請求項１または２に記載の発明の効果に加え、切断データ作成手段によって、隣り合う模様のうち一方の模様の切断ラインと他方の模様の切断ラインとを連続的に切断する切断データを作成することができる。従って、隣り合う模様を連続して切断することができる。
【００２６】
請求項４の切断装置によれば、請求項１から３の何れかに記載の発明の効果に加え、一方の模様の切断ラインにおける線分と他方の模様の切断ラインにおける線分とが直線状に連なる場合、これら双方の線分を、１つの線分として切断する切断データを作成する。このため、当該切断データに基づき、複数の線分を１つの線分として、複数の模様にわたって効率的に切断することができる。また、被切断物において複数の模様が形成される領域を当該直線状の線分で区画するように切断することができ、被切断物の歩留りを向上させることが可能となる。
【００２７】
請求項５の切断装置によれば、請求項１から３の何れかに記載の発明の効果に加え、切断データ作成手段によって、複数の模様に共通する同じ方向の切断ラインの線分を、切断刃の刃部の向きを変更することなく順次切断する切断データを作成することができる。従って、刃部の向きの変更が可能に構成された切断刃にあっても、刃部の向きを変更する動作を要することなく、同じ方向の切断ラインを順次切断することができる。従って、切断時において刃部の向きを変更する時間を省略することができる。
【００２８】
請求項６の切断装置によれば、請求項１から５の何れかに記載の発明の効果に加え、切断データ作成手段により、複数の模様を１つにまとめた模様群における輪郭、つまり一続きの切断ラインを形成する切断データを作成することができる。従って、複数の模様の切断作業時間を大幅に短縮することができる。
【００２９】
請求項７の切断データ処理装置によれば、切断データ作成手段により、複数の模様の切断ラインについて当該模様相互間で繋げる又は共通化するように接続した切断データを作成することができる。従って、当該切断データに基づいて切断装置で被切断物を切断した時、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【００３０】
請求項８の切断データ処理装置によれば、請求項７に記載の発明の効果に加え、請求項２の発明の効果と同様の効果を奏する。
請求項９記載の切断データ処理装置によれば、請求項７または８に記載の発明の効果に加え、請求項３の発明の効果と同様の効果を奏する。
請求項１０記載の切断データ処理装置によれば、請求項７から９の何れかに記載の発明の効果に加え、請求項４の発明の効果と同様の効果を奏する。
請求項１１記載の切断データ処理装置によれば、請求項７から９の何れかに記載の発明の効果に加え、請求項５の発明の効果と同様の効果を奏する。
請求項１２記載の切断データ処理装置によれば、請求項７から１１の何れかに記載の発明の効果に加え、請求項６の発明の効果と同様の効果を奏する。
【００３１】
請求項１３記載の切断データ処理プログラムを切断装置のコンピュータに実行させることによって、複数の模様の切断ラインについて当該模様相互間で繋げる又は共通化するように接続した切断データを作成することができる。従って、当該切断データに基づいて切断装置で被切断物を切断した時、複数の模様を、それらの接触部を利用して連続的に切断する、又は共通化した切断ラインを一度に切断することができる。これにより、切断刃の相対移動における無駄を省いて効率的に切断することができ、切断作業時間を短縮することができる。
【００３２】
請求項１４の記録媒体は、請求項１３に記載の切断データ処理プログラムを切断装置のコンピュータに読取り可能に記録したものである。よって、上記した請求項１３の発明と同様の効果を奏する。
【図面の簡単な説明】
【００３３】
【図１】本発明の第１実施形態における切断装置の内部構造を示す斜視図
【図２】切断装置の平面図
【図３】カッタホルダの斜視図
【図４】カッタを上昇させた状態で示すカッタホルダの断面図
【図５】カッタを下降させた切断時の状態で示すカッタホルダ近傍部の側面図
【図６】ギヤ部を拡大して示す正面図
【図７】切断時におけるカッタ先端の近傍部の拡大図
【図８】電気的構成を示すブロック図
【図９】（ａ）は既存の切断データにより形成される複数の模様を説明するための図、（ｂ）は（ａ）の模様の１つを拡大して示す図
【図１０】複数の模様の切断データを有する既存の全体データの構造を説明するための図
【図１１】（ａ）は複数の模様を切断ラインの一部が互いに接触して隣り合うように並べて配置した状態を示す図、（ｂ）は（ａ）の切断ラインを相互に繋げ又は共通化するように接続した状態を示す図、（ｃ）は（ｂ）の切断ラインの線分のうち平行な線分の切断方向を揃えた状態を示す図、（ｄ）は（ｃ）の切断ラインの線分のうち平行な線分のグループごとに切断を行うように変更した状態を示す図、（ｅ）は（ｄ）の切断ラインの線分のうち輪郭を構成する線分を一続きの線分としてまとめて切断を行うように変更した状態を示す図
【図１２】新たに作成された全体データであって図１１（ｅ）の切断ラインに対応する図
【図１３】新たに切断データを作成する場合における処理の流れを示すフローチャート
【図１４】本発明の第２実施形態を示すものであり、（ａ）は既存の全体データに基づき形成された種々の模様を示す図、（ｂ）は新たな全体データに基づき模様群として形成された複数の模様を示す図
【図１５】本発明の第３実施形態を示すものであり、１つの既存の模様の切断データを利用して作成される、複数の模様の新たな全体データを説明するための図
【図１６】本発明の第４実施形態を示す図８相当図
【発明を実施するための形態】
【００３４】
＜第１実施形態＞
以下、本発明の第１実施形態について、図１〜図１３を参照しながら説明する。
図１に示すように、切断装置１は、筐体としての本体カバー２と、本体カバー２内に配設されたプラテン３と、カッタホルダ５とを備えると共に、カッタホルダ５のカッタ４（図４参照）と被切断物６とを相対的に移動させるための第１及び第２移動手段７，８を備えている。本体カバー２は横長な矩形箱状をなしており、前面部には、プラテン３上面部に被切断物６を保持した保持シート１０をセットするための横長な開口部２ａが形成されている。尚、以下の説明では、切断装置１に対しユーザが位置する側を前方とし、その反対側を後方とする。そして、前後方向をＹ方向とし、Ｙ方向と直交する左右方向をＸ方向とする。
【００３５】
本体カバー２の右側には、ユーザに対して必要なメッセージ等の表示を行う表示手段としての液晶ディスプレイ（ＬＣＤ）９が設けられると共に、ユーザが各種の指示や選択、入力の操作を行うための複数の操作スイッチ６５（図８参照）が設けられている。
前記プラテン３は、前後一対の板材３ａ，３ｂからなり、上面部が水平面たるＸＹ平面をなすように構成されている。プラテン３には、被切断物６を保持する保持シート１０が載置されるようにセットされ、被切断物６の切断の際、保持シート１０をプラテン３で受ける。詳しくは後述するが、保持シート１０の上面には、左右両方の縁部１０ｂを除いた部分に粘着剤が塗布された粘着層１０ａ（図７参照）が形成されており、粘着層１０ａに被切断物６が貼り付けられて保持される。
【００３６】
前記第１移動手段７は、プラテン３の上面側で保持シート１０をＹ方向（第１方向）へ移動させるものである。即ち、切断装置１における左右の側壁部１１ａ，１１ｂには、プラテン３の板材３ａ，３ｂの間に位置させて、駆動ローラ１２とピンチローラ１３が設けられている。駆動ローラ１２とピンチローラ１３は、Ｘ方向に延びて、側壁部１１ａ，１１ｂに対して回動可能に支持されている。また、駆動ローラ１２とピンチローラ１３は、前記ＸＹ平面に対して平行で、且つ上下方向に並ぶように配置されている。下側が駆動ローラ１２で、上側がピンチローラ１３である。図２に示すように、右側壁部１１ｂには、駆動ローラ１２の右側に位置させて、クランク状の第１取付フレーム１４が設けられている。取付フレーム１４の外側には、Ｙ軸モータ１５が固定されている。
【００３７】
Ｙ軸モータ１５は例えばステッピングモータからなり、回転軸１５ａは第１取付フレーム１４を貫通しており、先端部にギヤ部１６ａを有する。駆動ローラ１２の右端部には、ギヤ部１６ａと噛合するギヤ部１６ｂが固着されており、これらギヤ部１６ａ、１６ｂにより第１減速ギヤ機構１６が構成されている。前記ピンチローラ１３は、左右の側壁部１１ａ，１１ｂに形成されたガイド溝１７ｂ（図１に右側の溝１７ｂのみ図示）により上下方向へ移動可能にガイドされている。左右の側壁部１１ａ，１１ｂには、ガイド溝１７ｂを外側から囲うバネ収容部１８ａ，１８ｂが夫々設けられている。ピンチローラ１３は、バネ収容部１８ａ，１８ｂに収容された図示しない圧縮コイルバネにより下方へ付勢されている。ピンチローラ１３には、保持シート１０の左右両方の縁部１０ｂに接触して押圧する押圧部１３ａが設けられている。押圧部１３ａは、ピンチローラ１３の他の部分よりも外径が少し大きく形成されている。
【００３８】
ここで、駆動ローラ１２とピンチローラ１３は、前記圧縮コイルバネの付勢力により、保持シート１０を上下方向から押圧挟持する（図５参照）。そして、Ｙ軸モータ１５を正転駆動、或は逆転駆動させると、その回転運動が第１減速ギヤ機構１６を介して駆動ローラ１２に伝わることで、保持シート１０を被切断物６と共に後方或いは前方へ移動させる。これら駆動ローラ１２、ピンチローラ１３、Ｙ軸モータ１５、第１減速ギヤ機構１６、前記圧縮コイルバネ等は、第１移動手段７を構成する。
【００３９】
前記第２移動手段８は、カッタホルダ５を支持するキャリッジ１９を、Ｘ方向（第２方向）へ移動させるものである。詳細には、図１、図２に示すように、左右の側壁部１１ａ，１１ｂ間には、後端部に位置させて、左右方向に延びるガイド軸２０とガイドフレーム２１が配設されている。ガイド軸２０は、駆動ローラ１２及びピンチローラ１３と平行に配設されている。ガイド軸２０は、プラテン３の直ぐ上側で、キャリッジ１９下部（後述の貫通孔部２２）を貫通している。ガイドフレーム２１は、前縁部２１ａと後縁部２１ｂが下方へ折り返された断面コ字状をなしている。前縁部２１ａはガイド軸２０と平行に配設されている。ガイドフレーム２１は、前縁部２１ａでキャリッジ１９上部（後述の被ガイド体２３，２３）をガイドするようになっており、側壁部１１ａ，１１ｂの上端部で螺子２１ｃにより固定されている。
【００４０】
図２に示すように、切断装置１の後部には、右側壁部１１ｂに第２取付フレーム２４が設けられると共に、左側壁部１１ａに補助フレーム２５が設けられている。第２取付フレーム２４には、Ｘ軸モータ２６及び第２減速ギヤ機構２７が配設されている。Ｘ軸モータ２６は、例えばステッピングモータからなり、第２取付フレーム２４における前側の取付片２４ａの前面部に固定されている。Ｘ軸モータ２６の回転軸２６ａは取付片２４ａを貫通しており、先端部に、第２減速ギヤ機構２７と噛合するギヤ部２６ｂを有する。第２減速ギヤ機構２７にはプーリ２８が設けられており、図２において左側の補助フレーム２５にプーリ２９が回転自在に取付けられている。これらプーリ２８とプーリ２９との間には、キャリッジ１９の後端部（後述の取付部３０）に連結された無端状のタイミングベルト３１が掛装されている。
【００４１】
ここで、Ｘ軸モータ２６を正転駆動、或は逆転駆動させると、その回転運動が第２減速ギヤ機構２７及びプーリ２８を介してタイミングベルト３１に伝わることで、キャリッジ１９をカッタホルダ５ごと左方或いは右方へ移動させる。こうして、キャリッジ１９とカッタホルダ５は、被切断物６の移動方向であるＹ方向と直交するＸ方向に移動する。上記のガイド軸２０、ガイドフレーム２１、Ｘ軸モータ２６、第２減速ギヤ機構２７、プーリ２８，２９、タイミングベルト３１、キャリッジ１９等は、第２移動手段８を構成する。
【００４２】
前記カッタホルダ５は、キャリッジ１９に対して前面側に配置され、Ｚ方向たる上下方向（第３方向）への移動が可能に支持されている。これらキャリッジ１９及びカッタホルダ５の構成について、図３〜図７も参照しながら説明する。
【００４３】
図２、図３に示すように、キャリッジ１９は、後面側が開放された略矩形箱状をなす。キャリッジ１９の上壁部１９ａには、平面視にて円弧状をなすリブであって、上方へ突出する前後一対の被ガイド体２３，２３が一体に設けられている。被ガイド体２３，２３は、ガイドフレーム２１の前縁部２１ａを挟むよう対称的に配置されている。キャリッジ１９における底壁部１９ｂの下側には、ガイド軸２０に挿通される左右一対の貫通孔部２２，２２が下方へ張出すように形成されている。また、キャリッジ１９の底壁部１９ｂには、前記タイミングベルト３１に連結される取付部３０（図４、図５参照）が後方へ突出するように設けられている。こうして、キャリッジ１９は、貫通孔部２２，２２に挿通されるガイド軸２０によって左右方向へ摺動可能に支持されると共に、被ガイド体２３，２３で挟まれるガイドフレーム２１によってガイド軸２０の回りに回転しないように支持される。
【００４４】
図３、図４、図５等に示すように、キャリッジ１９の前壁部１９ｃには、前方へ延出する上下一対の支持部３２ａ，３２ｂが一体に設けられている。キャリッジ１９には、支持部３２ａ，３２ｂを夫々貫通する左右一対の支持軸３３ａ，３３ｂが上下動自在に支持されている。キャリッジ１９内には、例えばステッピングモータからなるＺ軸モータ３４が、後方から収容されるように配置されている。Ｚ軸モータ３４の回転軸３４ａは（図３、図５参照）、キャリッジ１９の前壁部１９ｃを貫通しており、先端部にギヤ部３５を有する。また、図４に示すように、キャリッジ１９には、その前壁部１９ｃ中央からやや下寄りの部位を前後に貫通するギヤ軸３７が設けられている。ギヤ軸３７には、前壁部１９ｃの前側で前記ギヤ部３５に噛合するギヤ部３８が回転可能に装着されると共に、ギヤ軸３７前端部の止め輪（図示略）により抜け止めされている。ギヤ部３８とギヤ部３５で第３減速機構４１を構成する（図３、図５参照）。
【００４５】
ギヤ部３８には、図６に示すように、渦巻き溝４２が形成されている。渦巻き溝４２は、第１端部４２ａから第２端部４２ｂへ向って右方向に旋回するにつれ中心に近づく渦巻き状をなすカム溝である。渦巻き溝４２には、詳しくは後述するが、カッタホルダ５と一体的に上下移動する係合ピン４３が係合する（図４参照）。ここで、Ｚ軸モータ３４を正転駆動、或は逆転駆動させると、ギヤ部３５を介してギヤ部３８が回転する。ギヤ部３８が回転することにより、渦巻き溝４２に係合する係合ピン４３が上下方向に摺動する。これに伴い、カッタホルダ５を支持軸３３ａ，３３ｂごと上方或いは下方へ昇降させる。この場合、カッタホルダ５は、係合ピン４３が渦巻き溝４２の第１端部４２ａに位置した上昇位置（図４、図６参照）と、係合ピン４３が第２端部４２ｂに位置した下降位置（図５、図６参照）との間で移動する。上記の渦巻き溝４２を有する第３減速機構４１、Ｚ軸モータ３４、係合ピン４３、支持部３２ａ，３２ｂ、支持軸３３ａ，３３ｂ等は、カッタホルダ５を上下方向へ移動させる第３移動手段４４を構成する。
【００４６】
カッタホルダ５は、前記支持軸３３ａ，３３ｂに設けられるホルダ本体４５と、カッタ４（切断刃）を有してホルダ本体４５に上下動可能に保持される可動筒部４６とを備えると共に、被切断物６を押圧するための押圧装置４７を備えている。
即ち、図３、図４、図５等に示すように、ホルダ本体４５は、上端部４５ａと下端部４５ｂが後方へ折り返され全体としてコ字状をなしている。ホルダ本体４５の上端部４５ａと下端部４５ｂは、支持軸３３ａ，３３ｂの上下両端部に夫々固定された止め輪４８により、支持軸３３ａ，３３ｂに対し移動不能に固定されている。図４、図５に示すように、支持軸３３ｂの中間部には、前記係合ピン４３が後向きに設けられた連結部材４９が固着されている。こうして、ホルダ本体４５、支持軸３３ａ，３３ｂ、係合ピン４３、及び連結部材４９は一体的に構成され、カッタホルダ５は、前記第３移動手段４４により係合ピン４３に連動して上下方向へ移動する。また、支持軸３３ａ，３３ｂには、支持部３２ａ上面とホルダ本体４５の上端部４５ａとの間に、付勢部材たる圧縮コイルバネ５０が夫々外装されている。圧縮コイルバネ５０の付勢力により、カッタホルダ５全体がキャリッジ１９側に対して上方へ弾性付勢されている。
【００４７】
図３に示すように、ホルダ本体４５における中間部には、可動筒部４６や押圧装置４７等を取付けるための取付部材５１，５２が螺子５４ａ，５４ｂにより夫々固定されている。下側の取付部材５２には、可動筒部４６を上下動可能に支持する筒状部５２ａ（図４参照）が設けられている。可動筒部４６は、筒状部５２ａの内周面に摺接する径寸法に設定され、上端部には、筒状部５２ａの上端で支持されるフランジ部４６ａが径方向外側へ張出すように形成されている。フランジ部４６ａの上端面にはバネ受け部４６ｂが設けられている。図４に示すように、上側の取付部材５１と可動筒部４６のバネ受け部４６ｂとの間には、圧縮コイルバネ５３が配設されている。圧縮コイルバネ５３は、可動筒部４６（カッタ４）を下方の被切断物６側に付勢する一方、カッタ４に被切断物６側から上方への力が作用すると、当該付勢力に抗して可動筒部４６の上方への移動を許容する。
【００４８】
可動筒部４６には、その軸線方向に延びるカッタ４が貫通するように配設されている。詳細には、カッタ４は、可動筒部４６よりも長尺な丸棒状のカッタ軸４ｂと、そのカッタ軸４ｂの下端部に形成された刃部４ａとを一体に有する。図７に示すように、刃部４ａは略三角形状をなし、最下端の刃先４ｃが、カッタ軸４ｂの中心軸線４ｚから距離ｄだけ偏心した位置に形成されている。カッタ４は、可動筒部４６内部の上下両端部に配設された軸受５５（図４参照）により、上下方向の中心軸線４ｚ（Ｚ軸）を中心に回動自在に保持されている。こうして、カッタ４は、被切断物６の表面たるＸＹ平面に対して直交するＺ方向から刃先４ｃが圧接する。また、カッタ４は、カッタホルダ５が下降位置へ移動された時に、図７に示すように刃先４ｃが保持シート１０上の被切断物６を貫通し、且つプラテン３の板材３ｂ上面に到達しない高さに設定してある。一方、カッタ４は、カッタホルダ５が上昇位置へ移動されることに伴い、刃先４ｃも上方へ移動して被切断物６から離間する（図４参照）。
【００４９】
前記取付部材５２には、筒状部５２ａの下端部周縁に、３つのガイド孔部５２ｂ〜５２ｄ（図２〜図５参照）が等間隔で形成されている。そして、筒状部５２ａの下側には、ガイド孔部５２ｂ〜５２ｄに挿通される３つのガイド棒５６ｂ〜５６ｄを有する押圧部材５６が配置されている。押圧部材５６の下面側は、浅底な鉢（ボウル）状（或は緩やかな円形椀状）をなす押圧部本体５６ａとされており、周縁上部には、等間隔をなす前記ガイド棒５６ｂ〜５６ｄが一体に設けられている。押圧部材５６は、ガイド孔部５２ｂ〜５２ｄにてガイド棒５６ｂ〜５６ｄがガイドされることにより、上下方向への移動が可能である。押圧部本体５６ａの中央部には、上下方向に延びて前記刃部４ａを下方へ突出させるための貫通孔５６ｅが形成されている。そして、押圧部本体５６ａの下端面は、刃部４ａの周囲で被切断物６に接触する接触面５６ｆとされている。接触面５６ｆは、円環上をなす水平な平坦面であって、被切断物６に対して面接触する。接触面５６ｆは、例えばテフロン（登録商標）等のフッ素樹脂で構成されることで、比較的摩擦係数が低く、被切断物６に対して滑り易くなっている。
【００５０】
図３、図４、図５等に示すように、押圧部本体５６ａの周縁上部には、前方へ延出する接続部５６ｇが一体に設けられている。
他方、前記取付部材５２には、筒状部５２ａの前側であって接続部５６ｇの上方に位置してソレノイド５７用の前側取付部５２ｅが一体に設けられている。ソレノイド５７は、押圧部材５６を上下動させて被切断物６を押圧するためのアクチュエータであり、押圧部材５６並びに後述の制御回路６１と共に押圧装置４７を構成する。ソレノイド５７は、前側取付部５２ｅに下向きに取付けられており、プランジャ５７ａの先端部は接続部５６ｇ上面に固定されている。詳しくは後述するように、カッタホルダ５の下降位置でソレノイド５７が駆動されると、プランジャ５７ａと共に押圧部材５６が下方へ移動して被切断物６を所定の押圧力で押圧する（図５参照）。これに対して、ソレノイド５７の非駆動時には、プランジャ５７ａが上方に位置して押圧部材５６が被切断物６に対する押圧力を解除する。ソレノイド５７の非駆動状態でカッタホルダ５が上昇位置へ移動されると（図４の２点鎖線参照）、押圧部材５６が被切断物６から完全に離間する。
【００５１】
前記保持シート１０は、被切断物６を保持するための粘着層１０ａ（図７参照）を有する。被切断物６は、切断装置１にて切断する際、粘着層１０ａの粘着力と前記押圧装置４７の押圧力とによって、保持シート１０に対して移動不能に保持される。保持部材としての保持シート１０は、例えば、合成樹脂材料からなり、平板矩形状（図１参照）に形成されている。図７に示すように、保持シート１０の上側の面（カッタ４との対向面)に、粘着剤が塗布された粘着層１０ａが形成されている。粘着層１０ａは、例えば紙、布、樹脂フィルム等のシート状の被切断物６を剥離可能に保持する。粘着層１０ａの粘着力は、被切断物６を粘着層１０ａから剥がす際、当該被切断物６が破れることがなく且つ簡単に剥がせるよう比較的小さい値に設定されている。
【００５２】
次に、切断装置１の制御系の構成について図８のブロック図を参照しながら説明する。
切断装置１全体の制御を司る制御回路（制御手段）６１は、コンピュータ（ＣＰＵ）を主体に構成されており、ＲＯＭ６２、ＲＡＭ６３、外部メモリ６４が接続されている。ＲＯＭ６２には、切断動作を制御するための切断制御プログラム、後述する切断データ処理プログラム等が記憶されている。ＲＡＭ６３には、各種処理に必要なデータやプログラムが一時的に記憶される。外部メモリ６４には、複数種類の模様の切断データや、後述する全体データ及び切断可能領域を表わす領域データ等が記憶されている。
【００５３】
制御回路６１には、各種の操作スイッチ６５の操作信号が入力されると共に、液晶ディスプレイ９の表示を制御する。このとき、ユーザは、液晶ディスプレイ９の表示を見ながら、各種操作スイッチ６５を操作することによって、所望する模様の切断データを選択指定する。また、各種操作スイッチ６５は、後述する高速切断処理を、ユーザの入力操作により設定するための入力手段とされている。
制御回路６１には、切断装置１の開口部２ａからセットされた保持シート１０を検出するための検出センサ等、各種検出センサ６６の検出信号が入力される。また、制御回路６１には、Ｙ軸モータ１５、Ｘ軸モータ２６、Ｚ軸モータ３４、ソレノイド５７を夫々駆動する駆動回路６７，６８，６９，７０が接続されている。制御回路６１は、切断データに基づいて、Ｙ軸モータ１５、Ｘ軸モータ２６、Ｚ軸モータ３４、ソレノイド５７を制御し、保持シート１０上の被切断物６に対する切断動作を自動で実行させる。
【００５４】
前記切断データについて、保持シート１０に保持された被切断物６から複数（例えば８つ）の模様を切断する場合を例に説明する。ここで、被切断物６は紙であるとする。また、図９（ｂ）に示すように、模様は、「台形」形状の模様であり、これを、図９（ａ）に示すように、８つ並べて切り抜くものとする。ここで、説明の都合上、８つの模様を模様Ａ〜Ｈとする。この場合の全体データは、図１０に示すように、模様の総数の情報である「模様数」、「模様Ａ」〜「模様Ｈ」の切断データ、「区切りデータ」等を含む。「模様数」は８であり、各模様の切断データは、複数の線分からなる切断ラインの頂点を夫々ＸＹ座標によって示した座標データからなる。
【００５５】
具体的には、模様Ａの切断ラインは、図９（ｂ）に示すように４つの線分Ａ１〜Ａ４からなり、切断開始点Ｐ０と切断終了点Ｐ４が一致する閉じた台形である。台形は、角の大きさが９０度に設定された頂点Ｐ２、Ｐ３をもち、当該切断データとして、切断開始点Ｐ０、頂点Ｐ１、頂点Ｐ２、頂点Ｐ３、切断終了点Ｐ４の夫々に対応する第１座標データ、第２座標データ、第３座標データ、第４座標データ、第５座標データを有する（図１０参照）。
図９（ａ）に示すように、他の模様Ｂ〜Ｈも模様Ａと同じ台形であり、模様Ｂ〜Ｈの切断ラインについても夫々模様Ａと同様に、線分Ｂ１〜Ｂ４、線分Ｃ１〜Ｃ４、…、線分Ｈ１〜Ｈ４からなる。また、模様Ｂ〜Ｈに係る夫々の座標値（第１座標データ〜第５座標データ）は、各模様Ａ〜Ｈが相互に離間して形成されるように設定されている。
【００５６】
図１０に示すように、模様Ａ〜Ｈの切断データには、「マスク情報」が夫々含まれる。マスク情報とは、各模様Ａ〜Ｈの輪郭たる周縁を囲う最小の矩形枠Ｌを示すデータである。例えば図９（ｂ）に示す矩形枠Ｌは、模様Ａを包含する長方形をなす。矩形枠Ｌの線分Ｌ１〜Ｌ４のうち、２つの線分Ｌ３，Ｌ４が模様Ａの線分Ａ３，Ａ４に一致し、他の線分Ｌ１，Ｌ２も模様Ａの線分Ａ１，Ａ２の一部と重複する。他の模様Ｂ〜Ｈについても、夫々の輪郭を囲う最小の矩形枠Ｌのマスク情報が記憶されている。尚、マスク情報は、模様の輪郭に対応して設定されるものであり、枠の形状は長方形でなくてもよく、模様を囲う枠形状であればよい。
【００５７】
切断装置１では、図１０の全体データに基づいて模様Ａ〜Ｈを切断する場合、模様Ａから順次切断が実行される。即ち、先ず第１移動手段７による保持シート１０（被切断物６）のＹ方向への移動と、第２移動手段８によるカッタホルダ５のＸ方向への移動とにより、模様Ａの切断開始点Ｐ０のＸＹ座標へカッタ４を相対的に移動させる。次いで、第３移動手段４４によりカッタ４の刃先４ｃを被切断物６の切断開始点Ｐ０に貫通させて、第１移動手段７及び第２移動手段８により線分Ａ１の終点Ｐ１の座標へ向けて相対的に移動させ、線分Ａ１に沿って被切断物６を切断する。続く線分Ａ２は、先の線分Ａ１の終点Ｐ１を始点として、線分Ａ１と同様の切断が連続的に実行される。こうして、線分Ａ２〜Ａ４についても、図９（ａ）に矢印で示す向きにカッタ４を相対移動させることで、模様Ａ、即ち「台形」の切断ラインを切断する。
これと同様に、模様Ｂ〜Ｈについても、夫々の切断データに基づいて模様Ｂの切断ライン、模様Ｃの切断ライン、…、模様Ｈの切断ラインの順に切断される。
【００５８】
前記全体データにおいて、模様Ａ〜Ｈの切断データの末尾には、「区切りデータ」が付されている。区切りデータに基づいて、各切断ラインの切断を終える度に、第３移動手段４４によりカッタ４の刃先４ｃを被切断物６から離間させて次の切断開始点Ｐ０に対応する位置へ相対移動させる。当該相対移動は、被切断物６の切断を伴わない所謂空送りであり、直線的に移動する。説明の都合上、図９（ａ）では、模様Ａの切断ラインから模様Ｂの切断ラインへの空送りについて、符号Ｉで模式的に示している。
このように、切断する模様の数が多くなる程、切断を伴わない駆動ローラ１２とピンチローラ１３による保持シート１０の移動（送り戻し）の時間、カッタ４の上下移動の時間、及びキャリッジ１９の移動の時間が多くなる。よって、全ての模様Ａ〜Ｈを切り抜くまで相当の時間を要する。
【００５９】
そこで、本実施形態では、上記した既存の全体データに基づいて、切断作業時間の短縮が可能な切断データを新たに作成する。即ち、切断装置１では、そのソフトウェア的構成（切断データ処理プログラムの実行）により、例えば図１１に示すように模様Ａ〜Ｈを左右方向（Ｘ方向）と上下方向（Ｙ方向）とに隣接するように並べた切断ラインを形成する。この場合、模様Ａ〜Ｈは、当該切断ラインの少なくとも一部が互いに接触して隣り合うように配置され、１つにまとめた模様群とみなされる。そして、当該模様群全体の輪郭の切断ラインを連続的に切断する切断データを作成する。
また、前記外部メモリ６４には、シート状をなす被切断物６の大きさに基づき設定された、切断可能領域７１（図９参照）を表わすデータとして、領域データが記憶されている。詳しくは以下の作用説明で述べるように、模様群は、当該領域データと既存の全体データとに基づいて、切断可能領域７１に収まるように配置される。
【００６０】
図１１に示す模様群の新たな切断データ（全体データ）を作成する際の具体的な処理手順について、図１２、図１３も参照しながら説明する。ここで、図１２は、模様群の全体データを示し、図１３のフローチャートは、制御回路６１が実行する切断データ処理プログラムの処理の流れを示している。
【００６１】
先ず、ユーザは、被切断物６を保持した保持シート１０を、切断装置１の開口部２ａからセットして、操作スイッチ６５の操作により「給紙」を指示する。そして、例えば外部メモリ６４に記憶されている切断データの中から所望の模様の切断データ（例えば図１０の全体データ）を選択する。これにより、外部メモリ６４から全体データ読み出されると共に保持シート１０に対応する領域データが読み出されてＲＡＭ６３のメモリに展開される。読み出された全体データは、図９（ａ）に示すように相互に離間した８つの模様Ａ〜Ｈを切断するためのデータである。
【００６２】
そこで、制御回路６１は、模様Ａ〜Ｈのマスク情報と領域データに基づき、８つの模様Ａ〜Ｈを、切断可能領域７１内に夫々の矩形枠Ｌを隙間なく並べるように配置する。これにより、模様Ａ〜Ｈについて、各切断ラインの少なくとも一部が互いに接触して隣り合うように並べた座標に変更される（ステップＳ１）。詳細には、図１１（ａ）に示すように、模様Ａ〜Ｄ及び模様Ｅ〜Ｈは、夫々の矩形枠Ｌの線分Ｌ１，Ｌ３（図９（ｂ）参照）がＸ方向に直線状に連なるように、Ｘ座標を変更する。また、模様Ａ，Ｅは、夫々の矩形枠Ｌの線分Ｌ２，Ｌ４がＹ方向に直線状に連なるように、Ｙ座標を変更する。同様に、模様Ｂ，Ｆと、模様Ｃ，Ｇと、模様Ｄ，Ｈの夫々について、夫々の矩形枠Ｌの線分Ｌ２，Ｌ４がＹ方向に直線状に連なるように、Ｙ座標を変更する。こうして、模様Ａ〜Ｈは、隣り合う模様相互間で線分同士が重複する、又は線分同士がＸ方向若しくはＹ方向に連なるように配置した座標に変更される。尚、各模様Ａ〜Ｈの矩形枠Ｌは、図１１では（ａ）にのみ示しており、図１１（ｂ）〜（ｅ）では図示を省略する。
【００６３】
ここで、模様Ａ〜Ｈは、位置変更後においても、図１１（ａ）に示すように、最初の切断方向（矢印で示す）と切断順序（数字で示す、以下、切断番号と称す）が依然として維持されている。そこで、制御回路６１は抽出手段として、位置変更後の模様Ａ〜Ｈにおける各線分の始点及び終点の座標データ（線分データ）に基づき、夫々の切断ラインの接触部を抽出する。そして、制御回路６１は、抽出した接触部において、位置変更後の模様Ａ〜Ｈの切断ラインを相互に繋げる又は共通化するように接続する（ステップＳ２）。
【００６４】
例えば、図１１（ａ）に示す模様Ａの線分Ａ３のＸ方向の延長上に、模様Ｂ〜Ｄの各線分Ｂ３〜Ｄ３が存在する。つまり、各線分Ａ３〜Ｄ３は、隣り合う線分間で夫々の端部が互いに接触し、その端部の座標データが一致するため、１つの線分としてまとめられる（図１１（ｂ）の切断番号３の線分参照）。これにより、模様Ａ〜ＤのＡ３〜Ｄ３の線分は、１つの線分データ、つまり当該切断番号３の線分における始点及び終点の座標データで表わされる。同様に、図１１（ａ）に示す模模様Ｅ〜ＨのＥ３〜Ｈ３の線分は、図１１（ｂ）に示す切断番号１３の線分として１つにまとめられる。
また、図１１（ａ）に示す模様Ａの線分Ａ４は、当該線分Ａ４のＹ方向の延長上にある模様Ｅの線分Ｅ４、及び当該Ａ４の一部と重複する模様Ｂの線分Ｂ２と、１つの線分としてまとめられる（図１１（ｂ）の切断番号４の線分参照）。同様に、図１１（ａ）に示す模様Ｂの線分Ｂ４は、模様Ｆの線分Ｆ４及び模様Ｃの線分Ｃ２とまとめられる（図１１（ｂ）の切断番号６の線分参照）。また、図１１（ａ）に示す模様Ｃの線分Ｃ４は、模様Ｇの線分Ｇ４及び模様Ｄの線分Ｄ２とまとめられ、模様Ｄの線分Ｄ４は、模様Ｈの線分Ｈ４とまとめられる（図１１（ｂ）の切断番号８，１０の線分参照）。
【００６５】
こうして、隣り合う模様のうち双方の切断ラインで同一方向へ直線状に連なる又は重複する線分がある場合、それら線分は１つの線分としてまとめて接続される（図１１（ｂ）にて実線で示す切断番号３，４，６，８，１０，１３の線分参照）。つまり、制御回路６１は、当該線分を接続する接続手段として構成され、図１１（ｂ）に示すように８つの模様Ａ〜Ｈを１つの模様群とみなして接続処理を行う。これにより、模様群の全体を構成する線分の数を当初の３２から１６に半減させる。
【００６６】
図１１（ｂ）に示す状態において、制御回路６１は、ステップＳ３にて、前記模様群において夫々の線分データに基づき平行な線分を抽出する。具体的には、Ｘ方向と平行な線分として、切断番号３，１３の線分を抽出する。Ｙ方向と平行な線分として、切断番号２，４，６，８，１０，１２の線分を抽出する。斜め方向である切断番号１の線分と平行な線分として、切断番号５，７，９，１１，１４，１５，１６の線分を抽出する。このうち、切断番号２，１２の線分と切断番号４，６，８，１０の線分とでは切断方向が逆向きである。このため、切断番号４，６，８，１０の線分について、夫々の線分データの始点と終点の座標データを相互に入れ替えることで、図１１（ｃ）に示すように何れも切断方向が下向きに揃うように変更する。こうして、模様群に平行な線分が存在する場合、該当する平行な線分は、何れも切断方向が一致するように変更される。
【００６７】
図１１（ｃ）では、切断方向によって、切断番号１，５，７，９，１１，１４，１５，１６の線分のグループ、切断番号２，４，６，８，１０，１２の線分のグループ、及び切断番号３，１３の線分のグループに分けることができる。そこで、制御回路６１は、夫々のグループごとに夫々の線分を順次切断する切断データを作成する（ステップＳ４）。具体的には、図１１（ｃ）の切断番号１，５，７，９，１１，１４，１５，１６の順に切断される斜めの線分の線分データは、その切断順を変更するデータの並び替え処理が行われることで、図１１（ｄ）の切断番号１，２，３，４，５，６，７，８の順に切断されるデータに変更する。同様に、図１１（ｃ）に切断番号２，４，６，８，１０，１２で示すＹ方向の線分の線分データは、データの並び替え処理により、図１１（ｄ）の切断番号９，１０，１１，１２，１３，１４の順に切断されるデータに変更する。また、図１１（ｃ）にて切断番号３，１３で示すＸ方向の線分の線分データは、データの並び替え処理により、図１１（ｄ）の切断番号１５，１６の順に切断されるデータに変更する。こうして、全体データは、図１１（ｄ）に示すように平行な線分を夫々のグループで順次切断される切断データとして新たに作成する。このため、当該切断データに基づいて、模様Ａ〜Ｈを切断するときに、夫々の線分グループ内ではカッタ４の刃部４ａの向きは変更しなくてもよい。従って、短時間で切断することができる。
【００６８】
即ち、前述したように、カッタ４の刃先４ｃは、カッタ軸４ｂの中心軸線４ｚから距離ｄだけオフセットしている（図７参照）。このため、カッタ４と被切断物６との相対移動に伴い、被切断物６から抵抗力を受ける。これにより、カッタ４は中心軸線４ｚを中心に回動して、刃先４ｃがその相対移動の方向に沿って自動的に向きを変更する。従って、例えば一方の線分（切断線分）と他方の線分（切断線分）がＬ字状をなしている場合、一方の線分の切断終了点でカッタ４の刃先４ｃは一方の線分の方向を向いており、その後、他方の線分の切断開始時に（Ｌ字の頂点で）、当該刃先４ｃが他方の線分の方向に向きを変えることとなる。この時、中心軸線４ｚは前記Ｌ字の頂点から距離ｄだけ離れた位置にある。それ故、刃先４ｃの向きを他方の線分に沿う方向に変えるには、カッタ４を、中心軸線４ｚが平面視にて円弧を描くように移動させる動作が必要となる。これに対し、本実施形態では上記のように平行な線分を順次切断するため、カッタ４の向きを変更する動作を省くことができ、総じて切断作業時間を短縮することができる。
【００６９】
制御回路６１は、ステップＳ５で、ユーザの入力操作により高速切断処理に設定されているか否かを判断する。ここで、制御回路６１は、高速切断処理が設定されていると判断した場合（ＹＥＳ）、上記ステップＳ１〜Ｓ４で作成した新たな全体データよりも、更に切断作業時間の短縮が可能な全体データを作成する。
【００７０】
即ち、制御回路６１は、上記した模様群の線分データに基づいて、図１１（ｄ）の模様群の輪郭を構成する線分を抽出する。即ち、切断番号１〜５，９，１３，１４，１６の線分と、切断番号１０〜１２，１５の線分の一部を抽出する。抽出した線分は、図１１（ｅ）に実線（切断番号１）で示すように一続きに連なるアウトラインを形成する。当該線分の線分データを構成する各頂点Ｐ０〜Ｐ１２の座標データに基づいて、頂点Ｐ０を切断開始点及び切断終了点Ｐ１３とする切断データを作成する（ステップＳ６）。作成された切断データは、図１２に示すように、切断開始点Ｐ０、頂点Ｐ１、頂点Ｐ２、…、切断終了点Ｐ１３の夫々に対応する第１座標データ、第２座標データ、第３座標データ、…、第１４座標データを有する。
【００７１】
また、制御回路６１は、模様群の線分データに基づいて、模様群における輪郭以外の線分の切断データを作成する（ステップＳ７）。具体的には、模様群を構成する全ての線分から輪郭を除いた線分（図１１（ｅ）の破線で示す線分）を抽出する。当該線分の線分データを構成する始点及び終点の座標データに基づいて、新たにデータの並び替え処理を行い、図１１（ｅ）の切断番号２〜８の順に切断する切断データを作成する。こうして、図１２の上から順に、切断番号１の輪郭、切断番号２〜４の傾斜方向の各線分、切断番号５〜７のＹ方向の各線分、切断番号８のＸ方向の線分を夫々表わす座標データと、切断番号ごとに付された区切りデータとを有する新たな切断データ（全体データ）が作成される。尚、同図で上側に示すマスク情報は、模様Ａ〜Ｈを１つにまとめた模様群とみなすことから、その輪郭を囲う最小の矩形枠（図示略）で表わされる。
【００７２】
そして、制御回路６１は、ＲＡＭ６３のメモリに、新たに作成した全体データを書き込んで更新し、処理を終了する。前記ステップＳ５において、高速切断処理に設定されていないと判断し場合（ＮＯ）、前記ステップＳ１〜Ｓ４で作成した全体データを、ＲＡＭ６３のメモリに書き込んで更新し、処理を終了する。
その後、切断装置１において、高速切断処理が行われる場合、新たに作成した全体データ（図１２参照）に基づいて保持シート１０上の被切断物６の切断が実行される。これにより、カッタ４は、図１１（ｅ）の実線で示す模様Ａ〜Ｈを１つにまとめた模様群の輪郭を一続きにまとめて切断するように相対移動する。よって、カッタ４を被切断物６から離間させることなく一気に効率よく切断できる。
【００７３】
また、前記高速切断処理では、図１１（ｅ）の切断番号５〜７の線分は、隣り合う模様間でその一部が重複するため、重複部分につき切断作業時間が半減される。更に、同図に破線で示す切断番号２〜４の線分及び切断番号５〜７の線分は夫々、カッタ４の刃部４ａの向きを変更することなく順次切断することができる。
【００７４】
また、図９と、図１１（ｅ）又は図１１（ｄ）との対比から明らかなように、高速切断処理の設定の有無に係らず、新たな全体データに基づき切断が行われることで、複数の模様Ａ〜Ｈを切断する切断ラインの全長を短縮することができる。換言すれば、切断時におけるカッタ４の相対移動、或は保持シート１０の送り戻しの回数を低減することができる。このため、切断作業時間を短縮しつつ、当該保持シート１０の送り戻しによる切断位置のずれの発生も極力抑制することができる。
尚、切断時において、ソレノイド５７の駆動により被切断物６を接触面５６ｆで押圧すると共に、保持シート１０における粘着層１０ａの粘着力で被切断物６をずれないよう保持することができる。また、切断の際、押圧部材５６は被切断物６に対して相対移動するが、押圧部材５６の接触面５６ｆが低摩擦係数の材料で構成されているため、接触面５６ｆと被切断物６との間で生じる摩擦力を極力低減させることができる。よって、当該摩擦力に起因する被切断物６のずれをも防止することができる。従って、被切断物６をより確実に保持することができ、正確な切断ラインを形成することができる。
【００７５】
以上のように本実施形態の制御回路６１は、複数の模様Ａ〜Ｈを、当該模様Ａ〜Ｈの切断ラインであって連続した複数の線分Ａ１〜Ａ４、…、Ｈ１〜Ｈ４を含む切断ラインの少なくとも一部が互いに接触して隣り合うように並べて配置する配置処理を実行する（ステップＳ１）。また、配置処理により配置した模様Ａ〜Ｈにおいて切断ラインの接触部を抽出する抽出処理と、前記抽出処理で抽出した接触部で模様Ａ〜Ｈの切断ラインを相互に繋げる又は共通化するように切断ラインを接続する接続処理（ステップＳ２）と、前記接続処理で接続した模様Ａ〜Ｈの切断ラインに基づいて、切断データを作成する切断データ作成処理とを実行する（ステップＳ３、Ｓ４参照）。
【００７６】
これによれば、制御回路６１は、切断データ作成手段として、複数の模様Ａ〜Ｈの切断ラインについて当該模様相互間で繋げ又は共通化するように接続した切断データを作成することができる。従って、作成した切断データに基づいて、複数の模様Ａ〜Ｈを、それらの接触部を利用して連続的に切断することができる。これにより、カッタ４の相対移動における無駄を省くことができ、切断作業時間を短縮することができる。
【００７７】
制御回路６１は、配置手段として、複数の模様Ａ〜Ｈを、隣り合う模様相互間で線分同士が重複するように配置する。
これによれば、模様Ａ〜Ｈの切断ラインについて、隣り合う模様相互間で線分同士が重複した切断データを作成することができる。これにより、隣り合う模様の切断ラインを線分に沿ってまとめて切断することができる。従って、複数の模様Ａ〜Ｈの切断に必要な切断ラインの全長を短くして、切断作業時間をより短縮することができる。
【００７８】
制御回路６１は、隣り合う模様のうち一方の模様の切断ラインと他方の模様の切断ラインとを、連続的に切断する切断ラインとして接続する。これによれば、隣り合う模様を連続的に切断する切断データが作成されるため、当該切断データに基づき、隣り合う模様を連続して切断することができる。
【００７９】
制御回路６１は、隣り合う模様のうち一方の模様の切断ラインにおける線分と他方の模様の切断ラインにおける線分とが直線状に連なる場合、これら双方の線分を１つの線分として切断する切断ラインとして接続する。これによれば、複数の線分を１つの線分として、複数の模様にわたって効率的に切断する切断データが作成することができる。また、図１１（ｄ）の切断番号１３，１６の線分や、図１１（ｅ）で輪郭を構成する線分の一部は、被切断物６において模様Ａ〜Ｈが形成される領域を直線状の線分で区画するように切断する。従って、被切断物６の歩留りを向上させることが可能となる。
【００８０】
前記カッタ４は、被切断物６との相対的な移動によって、被切断物６から抵抗力を受けて当該カッタ４の刃部４ａの向きを変更するように構成され、前記切断データ作成手段は、複数の模様Ａ〜Ｈに共通する同じ方向の切断ラインの線分がある場合、これら切断ラインの線分を、前記刃部４ａの向きを変更することなく順次切断する切断データを作成する。
これによれば、刃部４ａの向きの変更が可能に構成されたカッタ４にあっても、刃部４ａの向きを変更する動作を要することなく、同じ方向の切断ラインを順次切断することができる。従って、切断時において刃部４ａの向きを変更する時間を省略することができる。
【００８１】
制御回路６１は、複数の模様Ａ〜Ｈを１つにまとめた模様群とみなし、当該模様群全体の輪郭の切断ラインを連続的に切断する切断データを作成する。これによれば、複数の模様Ａ〜Ｈを１つにまとめた模様群における輪郭、つまり一続きの切断ラインを形成する切断データを作成することができる（ステップＳ６、Ｓ７、図１１（ｅ）参照）。従って、複数の模様Ａ〜Ｈの切断に要する時間を大幅に短縮することができる。
【００８２】
＜第２実施形態＞
図１４は、本発明の第２実施形態を示すものであり、第１実施形態と異なるところを説明する。尚、第１実施形態と同一部分には同一符号を付している。
切断装置１においては、上記したように、複数の模様Ａ〜Ｈを切断するための既存の切断データ（図１０の全体データ）を元に、切断作業時間の大幅な短縮が可能な新しい切断データ（図１２参照）を作成してＲＡＭ６３等の記憶手段に登録することができる。また、切断装置１では、前記模様Ａ〜Ｈの他、様々な形状・個数の模様を切断するための既存の切断データについて、前記切断データ処理プログラムを実行することで、新たな切断データを作成することができる。
【００８３】
具体的には、図１４（ａ）に示す、被切断物６の上段部における６つの正方形の模様Ｏ〜Ｔと、中段部における３つの台形の模様Ｕ〜Ｗと、下段部における３つの台形の模様Ｘ〜Ｚは、既存の切断データに基づいて切断される。
このうち、模様Ｏの切断ラインは、４つの線分Ｏ１〜Ｏ４からなり、切断開始点と切断終了点が一致する閉じた正方形である。当該切断ラインの直ぐ内側に示す２点鎖線の矢印は、模様Ｏにおける線分Ｏ１〜Ｏ４の切断方向と順序を示している。模様Ｏの切断データは、各頂点に対応する第１座標データ〜第５座標データで構成される（図示略）。他の模様Ｐ〜Ｔも夫々模様Ｏと同様に４つの線分からなる正方形であり、夫々の座標値（第１座標データ〜第５座標データ）は、各模様Ｏ〜Ｔが互いに離間するように設定されている。尚、模様Ｏ〜Ｔの切断データにおける「マスク情報」は、各矩形枠Ｌが、模様Ｏ〜Ｔと夫々一致する正方形である（図示略）。
【００８４】
切断装置１では、前記模様Ｏ〜Ｔを切断するための既存の全体データを元に、切断データ処理プログラムの実行により、新たな切断データが作成される。この場合、制御回路６１は、前記ステップＳ２〜Ｓ４に代えて、模様Ｏ〜Ｔの順に模様毎に切断し、且つ重複する線分について先に切断される線分を除いた切断ラインの切断データを作成する処理を実行する。これにより、図１４（ｂ）の上段部に示すように、新たな切断データに基づいて、模様Ｏの４つの線分Ｏ１〜Ｏ４と、模様Ｐ〜Ｒの３つの線分（切断番号２〜４のコ字状をなす線分）と、模様Ｓ，Ｔの２つの線分（切断番号５，６の逆Ｌ字状の線分）とが模様毎に切断される。
【００８５】
図１４（ａ）の中段部に示す模様Ｕの切断ラインは、４つの線分Ｕ１〜Ｕ４からなり、互いに平行な一組の対辺Ｕ１，Ｕ３を両側部に有する。当該切断ラインの直ぐ内側に示す２点鎖線の矢印は、模様Ｕにおける線分Ｕ１〜Ｕ４の切断方向と順序を示している。模様Ｕの切断データとしては、各頂点に対応する第１座標データ〜第５座標データを有する（図示略）。他の模様Ｖ，Ｗも夫々模様Ｕと同様に４つの線分からなる台形であり、夫々の座標値は、各模様Ｕ〜Ｗが互いに離間するように設定されている。
【００８６】
前記模様Ｕ〜Ｗを切断するための既存の全体データを元に、切断データ処理プログラムの実行により、新たな切断データが作成される。この場合、前記ステップＳ１〜Ｓ７を経て、図１４（ｂ）の中段部に示すように、模様Ｕ〜Ｗにおいて平行な線分（前記対辺）が重複するように配置された切断ラインの切断データが作成される。これにより、作成された切断データに基づいて、模様Ｕ〜Ｗを１つにまとめた輪郭（同図の切断番号１参照）と、残りの重複した線分（切断番号２，３参照）とが切断される。
【００８７】
図１４（ａ）の下段部に示す模様Ｘの切断ラインは、４つの線分Ｘ１〜Ｘ４からなり、互いに平行な所謂上底Ｘ４及び下底Ｘ２を有する。当該切断ラインの直ぐ内側に示す２点鎖線の矢印は、模様Ｘにおける線分Ｘ１〜Ｘ４の切断方向と順序を示している。模様Ｘの切断データとしては、各頂点に対応する第１座標データ〜第５座標データを有する（図示略）。他の模様Ｙ，Ｚも夫々模様Ｘと同様に４つの線分からなる台形であり、夫々の座標値は、各模様Ｘ〜Ｚが互いに離間するように設定されている。
前記模様Ｘ〜Ｚを切断するための既存の全体データを元に、切断データ処理プログラムの実行により、新たな切断データが作成される。この場合、前記ステップＳ１〜Ｓ７を経て、図１４（ｂ）の下段部に示すように、各模様Ｘ〜Ｚにおける下側の頂点で相互に点接触するように配置された切断ラインの切断データが作成される。これにより、作成された切断データに基づいて、模様Ｘ〜Ｚを１つにまとめた輪郭（同図の切断番号１参照）を切断するだけで、全部の模様Ｘ〜Ｚを切断することができる。
【００８８】
以上のように、図１４（ｂ）の上段部に示すように、模様がＯ〜Ｔの如く正方形の場合には、その模様群の輪郭以外の線分を全て重複するように配置する切断データを作成することができる。従って、第１実施形態と異なり、模様毎に切断した場合でも、模様Ｓ，Ｔについて切断ラインを半減させる等、模様Ｏ〜Ｔの切断に必要な切断ラインの全長を短縮することができ、効率的な切断を行うことができる。
【００８９】
図１４（ｂ）の中段部に示すように、所定の一方向（例えばＸ方向）に模様Ｕ〜Ｗを並べて、その模様群の輪郭以外の線分を全て重複するように配置する切断データを作成することができる。従って、第１実施形態と同様、高速切断処理に設定して、模様Ｕ〜Ｗを１つにまとめた輪郭（同図の切断番号１参照）と、残りの重複した線分（切断番号２，３参照）とを切断するだけで、模様Ｕ〜Ｗを切り抜くことができる。
図１４（ｂ）の下段部に示すように、隣り合う模様Ｘ〜Ｚを、その切断ラインが全て連続して（一筆書き状に）接続されるように配置する切断データを作成することで、模様Ｘ〜Ｚ間の「区切りデータ」を省くことができる。よって、模様Ｘ〜Ｚの切断ラインを終える度に、カッタ４の刃先４ｃを被切断物６から離間させて、次の模様の切断開始点に対応する位置へ相対移動させる必要がないので、切断作業時間を極力短縮することができる。
【００９０】
＜第３実施形態＞
図１５は、本発明の第３実施形態を示すものであり、第２実施形態と異なるところを説明する。尚、第２実施形態と同一部分には同一符号を付している。
第２実施形態の切断装置１では、既存の全体データに基づいて本来各別に切断される複数の模様Ｘ〜Ｚの配置を変更したが、本第３実施形態の切断装置１では、１つの既存の模様Ｘの切断データを利用して、複数の模様Ｘ〜Ｚを並べて配置する。即ち、図１５（ａ）に示すように、１つの模様Ｘの切断データに基づいて、所定の方向（Ｘ方向又はＹ方向）に、同じ模様Ｘ〜Ｚを並べて配置した新たな切断データを作成する。この場合、模様Ｘの矩形枠Ｌの線分と新たに作成する模様Ｙ，Ｚの矩形枠Ｌの線分とが、Ｘ方向（又はＹ方向）に直線状に連なる。
【００９１】
従って、図１５（ｂ）に示すように、模様Ｘ〜Ｚを、Ｙ方向に並べて配置した場合には、図１４（ｂ）の模様Ｕ〜Ｗと同様に、切断番号１の輪郭と切断番号２，３の線分とを切断するだけで、模様Ｘ〜Ｚを切り抜くことができる。一方、模様Ｘ〜Ｚを、Ｘ方向に並べて配置した場合には、図１４（ｂ）の模様Ｘ〜Ｚと同様に、切断ラインが隣り合う模様相互間で一筆書き状に接続される切断データを作成することができる。
尚、１つの既存の模様Ｘから３個以上の模様の切断データを作成してもよいし、当該複数の模様を配置する方向は、ユーザにより操作スイッチ６５等を介して指定できるように構成してもよい。
【００９２】
＜第４実施形態＞
図１６は、本発明の第４実施形態を示すものであり、第１実施形態と異なるところを説明する。尚、第１実施形態と同一部分には同一符号を付している。
図１６に示すパーソナルコンピュータ（ＰＣ８０と称す）は、上記した切断データを処理する切断データ処理装置として構成されている。即ち、ＰＣ８０の制御回路８１は、コンピュータ（ＣＰＵ）を主体に構成されており、ＲＯＭ８２、ＲＡＭ８３、ＥＥＰＲＯＭ８４が接続されている。また、ＰＣ８０には、ユーザが各種の指示や選択、入力の操作を行うためのキーボードやマウス等からなる入力部８５が接続されると共に、ユーザに対して必要なメッセージ等の表示を行う表示部（例えばＬＣＤ）８６が設けられる。
【００９３】
ＰＣ８０は、切断装置１に対して有線接続するための通信部８７を備えている。一方、切断装置１は通信部７９を備えている。通信部８７と通信部７９は、ケーブル８７ａを介して接続されている。これにより、ＰＣ８０と切断装置１との間で、上記切断データ及び領域データを含むデータの送受信が可能である。また、ＰＣ８０と切断装置１とは、無線接続される構成であってもよい。制御回路（制御手段）８１は、ＰＣ８０全体の制御を司り、前記切断データ処理プログラム等を実行する。ＲＯＭ８２には、切断データ処理プログラム等が記憶されている。ＲＡＭ８３は、各種処理に必要なデータやプログラムが一時的に記憶されるもので、第１実施形態と同様に、切断データ等が記憶される記憶領域を有する。ＥＥＰＲＯＭ８４には、各種の切断データ（全体データを含む）が記憶されている。
【００９４】
そして、制御回路８１は、ＥＥＰＲＯＭ８４の切断データを読み込んで、切断データ処理プログラムの処理、つまり図１３で示したフローチャートの処理を実行する。そして、第１実施形態と同様に、複数の模様を切断するための既存の切断データを元に、切断作業時間の大幅な短縮が可能な新しい切断データを作成する。作成後の切断データはＥＥＰＲＯＭ８４に上書きされる。切断装置１は、ＰＣ８０から送信される模様切断データ及び境界線切断データに応じて、被切断物６を切断する。
【００９５】
以上のように、制御回路８１は、第１実施形態の制御回路６１と同様、配置手段、抽出手段、接続手段、切断データ作成手段として構成されている。従って、既存の切断データを元に、複数の模様の切断ラインについて当該模様相互間で繋げる又は共通化するように接続した新たな切断データを作成することができる等、第１〜第３実施形態と同様の効果を奏する。
【００９６】
尚、本発明は上記しかつ図面に示す実施形態にのみ限定されるものではなく、次のように変形または拡張することができる。本発明は、上記したカッティングプロッタとしての切断装置１に限られず、切断機能を備えた各種の装置に適用できるものである。
切断装置１やＰＣ８０における記憶手段に記憶した切断データ処理プログラムを、ＵＳＢメモリ、ＣＤ−ＲＯＭ、フレキシブルディスク、ＤＶＤ、フラッシュメモリ等、コンピュータで読取り可能な記録媒体に記録してもよい。この場合、前記記録媒体を、種々のデータ処理装置のコンピュータにより読み込んで実行させることにより、上記実施形態と同様の作用及び効果を奏する。  
【符号の説明】
【００９７】
１    切断装置
４    切断刃（カッタ）
４ａ  刃部
６    被切断物
６１，８１  配置手段、抽出手段、接続手段、切断データ作成手段
８０  切断データ処理装置
Ａ〜Ｈ，Ｏ〜Ｔ，Ｕ〜Ｗ，Ｘ〜Ｚ  模様
【図１】
2013013976.tif 000003
【図２】
2013013976.tif 000004
【図３】
2013013976.tif 000005
【図４】
2013013976.tif 000006
【図５】
2013013976.tif 000007
【図６】
2013013976.tif 000008
【図７】
2013013976.tif 000009
【図８】
2013013976.tif 000010
【図９】
2013013976.tif 000011
【図１０】
2013013976.tif 000012
【図１１】
2013013976.tif 000013
【図１２】
2013013976.tif 000014
【図１３】
2013013976.tif 000015
【図１４】
2013013976.tif 000016
【図１５】
2013013976.tif 000017
【図１６】
2013013976.tif 000018